Podtech/llm-jp-corpus-v4-ja_patent huggingface dataset:
(57)【要約】【課題】容易にランプの交換作業を行なうことのできるエレベーターのかご内照明装置を提供することにある。【解決手段】かごの天井に設置され、かご内を照射するランプ４と、このランプ４を覆うカバー５とを備えたエレベーターのかご内照明装置１において、一端がランプ４に環装される板ばね部６ａからなるとともに、他端がカバー５に取り付けられるブラケット６を介し、カバー５をランプ４に着脱自在に直接取り付けるようにしたものである。【選択図】図１
2010126283.tif 000002
【特許請求の範囲】
【請求項１】
かごの天井に設置され、かご内を照射するランプと、このランプを覆うカバーとを備えたエレベーターのかご内照明装置において、
一端が前記ランプに環装される板ばね部からなるとともに、他端が前記カバーに取り付けられるブラケットを介し、前記カバーを前記ランプに着脱自在に直接取り付けることを特徴としたエレベーターのかご内照明装置。
【発明の詳細な説明】
【技術分野】
【０００１】
本発明は、エレベーターのかご内照明装置に係り、特に、照明の光むら低減するエレベーターのかご内照明装置に関する。
【背景技術】
【０００２】
一般的な建造物と同様に、エレベーターにもかご内を照射する為の照明器具が天井に取り付けられている。エレベーターかご内照明装置として、環状ランプや直管ランプを用いることが一般的であり、間接照明や天井全面をアクリル等で覆った光天井が主流である。しかし、天井照明は光むらが生じるため、ランプをカバーで覆うことで光むらを低減している。
【０００３】
図２は従来のエレベーターのかご内照明装置を示す側面図、図３はかご内照明装置の全体概略構成図である。
【０００４】
エレベーターのかご内照明装置１１は、図３に示すように、かごの天井１２と所定の間隙を介して平行に設けられる遮蔽板１３と、天井１２と遮蔽板１３との間に配置されるランプ、例えば直管ランプ１４と、この直管ランプ１４を覆い、光むらを低減するカバー１５とを有している。
【０００５】
そして、従来のカバー取り付け方法は、図２に示すように、一端が遮蔽板１３に取り付けられるブラケット１６にボルト１７で固定するようになっていた。
【発明の開示】
【発明が解決しようとする課題】
【０００６】
しかしながら、前述した従来のものでは、ランプ１４を覆うカバー１５は、ブラケット１６およびボルト１７等を介して遮蔽板１３に固定される構造であることから、ランプ１４の交換作業時、一旦、工具を用いてカバー１５を取り外し、次いで、ランプ１４を交換し、再び工具を用いてカバー１５を取り付けるという手間が必要であった。特に、かご内照明装置１１におけるランプ１４の設置空間は限られているとともに、上向き作業を要することから、作業性の向上が望まれていた。
【０００７】
本発明は、前述した従来技術における実状からなされたもので、その目的は、容易にランプの交換作業を行なうことのできるエレベーターのかご内照明装置を提供することにある。
【課題を解決するための手段】
【０００８】
前記目的を達成するために、本発明の請求項１に係る発明は、かごの天井に設置され、かご内を照射するランプと、このランプを覆うカバーとを備えたエレベーターのかご内照明装置において、一端が前記ランプに環装される板ばね部からなるとともに、他端が前記カバーに取り付けられるブラケットを介し、前記カバーを前記ランプに着脱自在に直接取り付けることを特徴としている。
【０００９】
このように構成した本発明の請求項１に係る発明では、ランプを覆うカバーを、一端が板ばね部によりランプに環装されるブラケットを介し、ランプに着脱自在に直接取り付ける構造としたことで、工具を用いることなくランプの交換作業を行なうことができる。これによって、容易にランプの交換作業を行なうことができる。
【発明の効果】
【００１０】
本発明によれば、工具を用いることなくランプの交換作業を行なうことができることから、作業性を高め、作業に要する労力および時間の低減を図ることができる。
【発明を実施するための最良の形態】
【００１１】
以下、本発明に係るエレベーターのかご内照明装置の実施の形態を図に基づいて説明する。
【００１２】
図１はエレベーターのかご内照明装置の一実施形態を示す要部側面図である。
【００１３】
エレベーターのかご内照明装置１は、図１に示すように、かごの天井と所定の間隙を介して平行に設けられる遮蔽板３と、天井と遮蔽板３との間に配置されるランプ、例えば直管ランプ４と、この直管ランプ４を覆い、光むらを低減するカバー５とを有している。
【００１４】
そして、本実施形態のかご内照明装置１は、一端が直管ランプ４に環装される板ばね部６ａからなるとともに、他端がカバー５に取り付けられるブラケット６を介し、カバー５を直管ランプ４に着脱自在に直接取り付けるようになっている。なお、板ばね部６ａのばね圧は、直管ランプ４を破損することがなく、かつ、ブラケット６が、カバー５およびブラケット６の自重で回転することのない値に設定されている。
【００１５】
本実施形態にあっては、直管ランプ４の交換作業を行なう場合、まず、板ばね部６ａを広げるようにしてこの板ばね部６ａの直管ランプ４への係合を解除し、ブラケット６およびこのブラケット６に一体的に取り付けられたカバー５を取り外す。次いで、旧ランプから新ランプに付け替え、この後、板ばね部６ａを直管ランプ４に環装し、カバー５を取り付ける。
【００１６】
本実施形態によれば、カバー５を、一端が板ばね部６ａにより直管ランプ４に環装されるブラケット６を介し、直管ランプ４に直接取り付ける構造としたことで、工具を用いることなく直管ランプ４の交換作業を行なうことができる。これによって、ランプ交換作業の作業性を高め、作業に要する労力および時間の低減を図ることができる。
【図面の簡単な説明】
【００１７】
【図１】図１はエレベーターのかご内照明装置の一実施形態を示す要部側面図である。
【図２】従来のエレベーターのかご内照明装置を示す側面図である。
【図３】かご内照明装置の全体概略構成図である。
【符号の説明】
【００１８】
１  かご内照明装置
３  遮蔽板
４  直管ランプ
５  カバー
６  ブラケット
６ａ  板ばね部
【図１】
2010126283.tif 000003
【図２】
2010126283.tif 000004
【図３】
2010126283.tif 000005
(57)【要約】【課題】本発明はレトルトパックの内容物を、簡単、安全に取り出すための、トングに取り付ける補助具を提供するものである。【解決手段】固定台にほぼ垂直に板体を設け、略Ｔ字体であることを特徴とする、搾り出し具。【選択図】図１
2010126252.tif 000002
【特許請求の範囲】
【請求項１】
固定台にほぼ垂直に板体を設け、略Ｔ字体であることを特徴とする、搾り出し具。
【発明の詳細な説明】
【技術分野】
【０００１】  本発明は、レトルトパックの内容物を、簡単、安全に取り出すための、トングに取り付ける、補助具に関するものである。
【背景技術】
【０００２】  従来、レトルトパックの内容物をきれいに搾り出すには、トングや箸などを使用したり、レトルトパックを折り曲げたりして内容物を取り出す必要があった。なお、レトルトパック等の搾り出しや開封用のはさみの発明が知られている（特許文献１）。
【特許文献１】特開２００７−６８９３８公報
【発明の開示】
【発明が解決しようとする課題】
【０００３】そのために、次のような問題点があった。
（イ）素手で最後まで搾ろうとすると、手が汚れてしまう。
（ロ）トングや箸で搾ろうとしても、簡単に内容物を残さず搾り出せなかった。
（ハ）熱いものなどは素手で搾るには、危険度が高い。
（ニ）搾り機能のある、専用のトングをそろえる必要があった。
本発明は以上の問題点を解決しようとするものである。
【課題を解決するための手段】
【０００４】  固定台にほぼ垂直に板体を設け、略Ｔ字体であることを特徴とする搾り出し具。
【発明の効果】
【０００５】  本発明の搾り出し具は、レトルトパック等の内容物を、簡単、安全に搾り出すことが出来る効果がある。従来使われているもので、トング機能しかもっていないトングにも、本発明の搾り出し具機能を簡単に追加することが出来る効果がある。
【発明を実施するための最良の形態】
【０００６】  固定台（１０２）にほぼ垂直に板体（１０１）を設けた、略Ｔ字体の搾り出し具（１）とする。これを使用するときはトング（２）のトングの持ち手内側のトング溝部（２０１）に板体（１０１）が突出するように差し挟んで装着し、開封したレトルトパックを搾り出し具（１）とトングの持ち手部分で挟み、内容物を搾り出し使用する。トングに対して、搾り出し具（１）は着脱可能である。
【図面の簡単な説明】
【０００７】
【図１】本発明の斜視図
【図２】本発明の装着状態を示す斜視図
【図３】本発明の実施状態を示す斜視図
【符号の説明】
【０００８】  １      搾り出し具
１０１  板体
１０２  固定台
２      トング
２０１  トング溝部
３      レトルトパック
【図１】
2010126252.tif 000003
【図２】
2010126252.tif 000004
【図３】
2010126252.tif 000005
(57)【要約】      （修正有）【課題】トイレを使用時に、現在使っているロールタイフの巻紙に、不便を感じこれをもう少し使いやすく簡単に出来ないものかと思っていた。又ロール巻紙の切り取り切断面の醜さ、それにロール紙の垂れ下がり、以前から美観的に感じるところであった。【解決手段】ペーパを箱に収納し、それを使用する時に簡単に取り出せるように、箱の左右両側面に指先が入る程度の隙間を設け取り出し部とし、取り出し部を指先で上にスライドすることで、ペーパを取り出し使用することを可能とする。【選択図】図１
2010126255.tif 000002
【特許請求の範囲】
【請求項１】
箱の左右両側面に指先が入る程度の隙間を上下方向に設け、ペーパを使用状況に応じてペーパを取り出せる取り出し部を側面左右どちらからでも可能とし、其の時の使用量を調整することが出来る、ペーパ収納箱とする。
必要に応じて補充することを可能としたペーパ収納箱とする。
【発明の詳細な説明】
【技術の分野】
【０００１】本発明はペーパの収納に関するものであり、ペーパの収納を工夫することによってペーパの、使用方法を、大きく変えたものである。
【背景技術】
【０００２】従来から、使用されているロール巻き取りペーパは使用時に折り重ねる不便と、身体障害者、子供、老人には、特に扱いにくい商品である。
ロール紙は使用最後に紙芯が残り、不要なごみの一因と成っている。
【発明の開示】
【発明が解決しようとする課題】
【０００３】従来のロール紙の不便さ、扱いにくさ、ロール紙芯の無駄は資源の消費にも大きく影響するものである。
【課題を解決するための手段】
【０００４】この課題を、解決するため、ロール紙を使用後に残ったロール紙芯なくする事が不可欠な課題で、紙芯を使わない使いやすく便利な収納箱にする。方法としてペーパを箱に収納し、ペーパを使用する時に簡単に取り出せることが出来ないかを考え、箱の左右両側面に指先が入る程度の隙間を設け、取り出し部を指先で上にスライドすることで、ペーパを取り出し使用する方法で、解決することが出来る。ペーパを色分けし交互に積み重ねることでそのとき使用する量の目安とすることも出来る。
【発明の効果】
【０００５】従来の、ロール紙は巻き戻して折り重ねて使用していたがその必要がなくなる。
身体障害者、子供、老人、容易に使用することが可能になる。
ペーパの使用後の紙芯が必要無くなる事で、資源の節約と成る。
ゴミとして捨てられていた紙芯が要らなくなることで、ゴミの減少に結びつく。
資源の節約と、ゴミの減少は、地球の温暖化に貢献することに成る。
従来の、ロール紙は無駄な空間が有り、収納、輸送に問題点があると思う。
ロールタイプの上蓋はアール形状であり、今回の箱型は上蓋に折り曲げの立ち上がり少し作ることにより、小物をその上に置くことが可能となる。
【発明を実施するための最良の形態】
【０００６】図  １  ２  ３が示す様に、箱形にした事により、発明の効果で述べた幾つかの効果的なペーパ収納箱である。
【産業上の利用可能性】
【０００７】本発明に係るペーパ取り出し収納箱は、日常生活する上で欠かすことの出来ない商品であり、工業的に量産が可能であり、産業上の利用可能性を有する。
【図面の簡単な説明】
【０００８】
【図１】全体図  姿図
【図２】立面図  ペーパを収納図、ロ部は図４で詳細を記す。
【図３】側面図  側面の中央の２本の縦線はこの発明の最も重要な点でペーパを指先で上にスライドしてペーパを取り出す隙間を記す。
【図４】ロ部はペーパの重なった状況で、Ａは１回に使用する目安を表し、Ｂ、Ｃ、は少量の使用でいい場合を表した。Ｂ、Ｃ、色違いもひとつの方法かと思われる。
【図５】上蓋コーナ平面図  前面、側面に折り返しの立ち上がり作ることで、小物を置いても、滑り落ちないようにし、切欠きはゴミの清掃時落とし箇所とする。
【符号の説明】
イ部  上蓋のコーナの平面記した。
ロ部  紙の重なり記した。
ハーハ  上蓋の前面の断面を記した。
【図１】
2010126255.tif 000003
【図２】
2010126255.tif 000004
【図３】
2010126255.tif 000005
【図４】
2010126255.tif 000006
【図５】
2010126255.tif 000007
【手続補正書】
【提出日】平成21年10月27日(2009.10.27)
【手続補正１】
【補正対象書類名】特許請求の範囲
【補正対象項目名】全文
【補正方法】変更
【補正の内容】
【特許請求の範囲】
【請求項１】
ペーパ収納箱をペーパ使用量の増減状況によって、上下に２段又は３2010126255.tif 000008
ペーパ取り出しで、底板の位置を側面。正面、裏面の四方の最下部より、指先が底板より下に入るよう底板を設け、底板の両側面に円形の切欠き部を作り残り少なくなったペーパの、取り出しをより容易にした。側面に目盛を付け、収納枚数、取り出す量の目安を判断しやすくした。上蓋の両端にゴミ等の清掃用の掃き出し口を設けた。
【手続補正２】
【補正対象書類名】図面
【補正対象項目名】全図
【補正方法】変更
【補正の内容】
【図１】
2010126255.tif 000009
【図２】
2010126255.tif 000010
【図３】
2010126255.tif 000011
【図４】
2010126255.tif 000012
【図５】
2010126255.tif 000013
(57)【要約】【課題】  近年、竹林の伐採と利用の拡大が急務となっており、小型重機の屈曲アームの先端に、切断用のカッター装置をセットして切り出している。しかし、工場出荷には、切断した竹を車に積込んで運ぶ必要があり、切断用のカッター装置を外して積込み爪装置と交換しなければならなかった。そのため、それぞれの脱着には専用の工具を要し、その交換にも相当な時間を必要としていた。本発明は、それを解決しようとするものである。【解決手段】  本発明は、油圧ショベルの屈曲アームの先端に、受け刃と、油圧シリンダーによって操作される切断刃を設けた竹材カッター装置を設け、その竹材カッター装置を構成している受け刃取り付け部に、積込み受け爪を脱着自在に取付け、切断刃取付け部には、積込み押え爪を脱着自在に設けた。【選択図】 図１
2010126263.tif 000002
【特許請求の範囲】
【請求項１】
油圧ショベルの屈曲アームの先端に取り付ける、受け刃と、油圧シリンダーによって操作される切断刃を設けた竹カッター装置において、受け刃取付け部に脱着できる積込み受け爪と、切断刃取付け部に脱着できる積込み押え爪を設けたことを特徴とする竹材切断処理装置。
【請求項２】
積み込み受け爪並びに積み込み押さえ爪を細長くした請求項１の竹材切断処理装置。
【発明の詳細な説明】
【技術分野】
【０００１】
本発明は、油圧ショベルの屈曲アームの先端に取り付ける、竹材切断並びに積込み処理の装置に関するものである。
【背景技術】
【０００２】
従来の油圧ショベルの屈曲アームの先端に取り付ける竹材切断処理装置は、竹材切断刃装置と積込み処理刃装置を交換して使用していた。
【０００３】
【特許文献１】実用新案出願２０００−７６１７
【発明の開示】
【発明が解決しようとする課題】
【０００４】
近年までは、タケノコ生産の必要もあって竹林の手入れはされてきたが、最近は、作業者の高齢化も進んで人手不足となり、竹林が放置され増え続けている。そのため、竹林の伐採と利用の拡大が急務となっているが、それは人力だけでは無理なので、小型重機の屈曲アームの先端に、切断用のカッター装置をセットして切り出す方法が多くなっている。
【０００５】
しかし、切断した竹を工場まで出荷するためには、寸法をそろえて切断してから、車に積込んで運ぶ必要があり、切断用のカッター装置を外して積込み爪装置と交換しなければならなかった。これに関しては、特許文献１に示すように、切断機能とつかみ機能を兼ね備えた考慮もあるが、竹材の切断並びに積み込みの作業では、積み込み爪を外す必要がある。そのため、それぞれの脱着には専用の工具を要し、その交換にも相当な時間を必要としていた。本発明は、それを解決しようとするものである。  
【課題を解決するための手段】
【０００６】
本発明は、前記目的を達成するために、油圧ショベルの屈曲アームの先端に、受け刃と、油圧シリンダーによって操作される切断刃を設けた竹材カッター装置を設け、受け刃取付け部には、積込み受け爪を脱着自在に取り付け、切断刃取り付け部には、積込み押え爪を脱着自在に取り付ける。
【発明の効果】
【０００７】
油圧ショベルの屈曲アームの先端には、受け刃と、油圧シリンダーによって操作される竹カッター装置によって、切断刃による竹材の伐採については、従来の竹材カッター装置と同様に操作が可能である。
【０００８】
そして、竹材の伐採が終了した後の積込み作業については、竹材カッター装置を外すことなく、そのまま、受け刃取り付け部に、脱着できる積込み受け爪を取り付け、切断刃取り付け部に脱着できる積込み押え爪を取り付けるだけで、直ちに、積込み処理刃装置として使用が可能となる。しかも、その積込み作業には、竹材カッター装置をそのままにしていても、何らの不都合は起こらない。
【発明を実施するための最良の形態】
【０００９】
以下、本発明の最良の実施の形態を説明する。図１は、本発明の竹材カッターの説明図である。竹材カッター装置Ａは、油圧ショベルの屈曲アーム１の先端に、受け刃２を取り付ける受け刃取付け部３を取り付け、必要に応じて、回動させて固定ができる。図においては、一番簡易なボルト締めとしているが、ワンタッチによる回動固定も可能である。受け刃取付け部３には、切断刃４を受け刃２に向けて付設した切断刃取付け部５を、取付けシャフト６によって軸着し、油圧シリンダー７の作動によって、受け刃２に向けて開閉させ、竹材の切断を可能にする。
【００１０】
以上の構成であるから、油圧ショベルの操縦席のレバーを操作によって竹材カッター装置Ａを動かし、油圧シリンダー７によって、切断刃４を作動させて竹材などの切断を行う。  
【００１１】
切断作業が終わった竹材などの積込み作業は、図２の説明図に示すように、積込み受け爪８と積込み押え爪９によって構成する積込み爪装置Ｂを取り付けることによって行う。
【００１２】
積込み爪装置Ｂは、竹材カッター装置Ａを構成する受け刃取付け部３に、積込み受け爪８を脱着自在に取り付ける。そして、切断刃取り付け部５には、積込み押え爪９を脱着自在に取り付ける。この脱着自在の取り付け方法は、図においては、取付けボルト１０を使ってナット締めにて行っているが、その他周知の脱着自在の簡便な方法を採用してもよい。尚、積込み爪装置Ｂを構成する、積込み受け爪８並びに積込み押え爪９の形状は、油圧ショベルに取り付けて使われている、通常の積込み爪の形状に準じて構成する。
【図面の簡単な説明】
【００１３】
【図１】本発明の竹材カッターの説明図
【図２】本発明の積込み爪装置
【符号の説明】
【００１４】
１・・・屈曲アーム
２・・・受け刃
３・・・受け刃取付け部
４・・・切断刃
５・・・切断刃取付け部
６・・・取付けシャフト
７・・・油圧シリンダー
８・・・積込み受け爪
９・・・積込み押さえ爪
１０・・・取付けボルト
【図１】
2010126263.tif 000003
【図２】
2010126263.tif 000004
(57)【要約】      （修正有）【課題】自転車用のパニアバックを自転車から容易に外せるようにし、背負えるようにした機能を持たせる。【解決手段】パニアバックの上面（背負う時、バッグ同士が接触する面）にジッパー１４を装着し、パニアバックを背負う時、ジッパー１４でバッグ同士を連結することで背負う時に安定するよう、考慮した。パニアバックに可変式のフレームを内蔵し、背負う時はフレームを伸ばして肩ベルトを装着し、背負えるようにした。【選択図】図３
2010126148.tif 000002
【特許請求の範囲】
【請求項１】
自転車後部に装着するパニアバッグ（振り分けバッグ）で、従来の固定型と違い、取り外して背負う事の出来る、可変式フレーム内蔵のパニアバッグ
【請求項２】
前記のパニアバッグは荷台が装着されていない自転車用だが、荷台が装着されている場合は、フレームレスの背負うことの出来るパニアバッグも含む。
【発明の詳細な説明】
【技術分野】
【０００１】  本発明は自転車で旅をする時に使用するパニアバッグに関する
【背景技術】
【０００２】  従来、自転車用のパニアバッグは、長距離を何日もかけてツーリングするという趣旨の元、作られており、基本的には自転車の荷台から頻繁に脱着するようには作られていない。【０００３】  なお、本願発明に関する公知技術として次の非特許文献１、を挙げることができる。【０００４】
【非特許文献１】  走れ！自転車  ｈｔｔｐ：／／ｗｗｗ．ｋ２．ｄｉｏｎ．ｎｅ．ｊｐ／〜ｄｅｎｉｓｏｂａ／ｉｎｄｅｘ．ｈｔｍｌ  旅の装備のロングツーリングの装備の項
【発明の開示】
【発明が解決しようとする課題】
【０００５】最近、電車等、公共の交通機関に分解した自転車を積んで、（輪行という運搬手段）目的地で組み立て、ツーリングするという旅が、自転車愛好家の間に芽生えつつある。（質の良い折り畳み式の自転車が、各メーカーで開発されたため）【０００６】  そのため、駅構内で、自転車とキャンプ用品等を収納したパニアバッグを分離して移動しなければならない。【０００７】  自転車は輪行バッグという専用のバッグに収納して、肩から下げて運搬すればよいが、パニアバッグにはそのような機能が備わっていないので非常に不便である。【０００８】  本発明は自転車から取り外したパニアバッグを背負える様、開発したものである。【０００９】  パニアバッグにアルミパイプ等を加工した、可変式のフレームを内蔵して、荷台のない自転車に装着可能とした。この時、自転車の車輪軸に専用のアタッチメント等をを装備して、サイドバッグのフレームと連結して固定する【００１０】  自転車の本体（自転車のフレーム）に荷台を取り付ける孔がある時は、孔を利用してパニアバッグのフレームを自転車に装着する場合もある。【００１１】  背負う時はフレームを伸ばして一直線状にして脱着式の肩ベルトをフレームに装着してバックパックの様に背負うことが出来る。
【発明の効果】
【００１２】  自転車とパニアバッグを容易に脱着し、パニアバックを背負うことができることにより、輪行時の運搬が容易になり、駅構内等の移動（階段の上り、下り等）が楽になる。【００１３】  自転車はなるべく軽いほうが、速く楽に走れるので、旅先の宿やキャンプ場でサイドバッグを取り外すことで、軽快なサイクリングを楽しむことができる。
【発明を実施するための最良の形状】
【００１４】  図▲１▼〜▲３▼は本発明を自転車に装着した図であり、▲４▼はパニアバッグを背負える状態にした状態、▲５▼は人が背負った状態、▲６▼はフレームのみの図面である。
【００１５】  図▲２▼の１２は、パニアバックのフレームと自転車のシートポストを連結して、パニアバックを安定させる器具で背負う時はじゃまにならないよう、取り外すことが可能か、内側に折り畳むよう、工夫した物である。
【００１６】  図▲３▼の１３は、パニアバッグのフレームを安定させるための器具（建築現場等で使用するアルミの脚立の開き止めの様な物）で、背負う時にはじゃまにならない様、おりたためるよう工夫した物である。
【００１７】  図▲４▼は、パニアバックのフレームを伸ばして（開いて）肩かけベルト１６を装着して背負える様にした状態で、１５は自転車の車軸にパニアバックのフレームを連結するため溶接した連結部で、この部分は後から取り付けられる金具等に置き換えられることもできる。
【００１８】  図▲３▼の１４はパニアバックの上面（背負う時、バッグ同士が接触する面）にジッパーを装着した物で、パニアバックを背負う時、ジッパーでバッグ同士を連結することで背負う時に安定するよう、考慮したものである。
【００１９】  図▲５▼は、肩ベルトを装着して背負える様にしたパニアバックを、人が背負っている状態を横から見た時の図である
【００２０】  図６はパニアバックのフレームのみの拡大図で、１６は取り外した肩かけベルト、１２はパニアバックのフレームと自転車のシートポストを連結して安定させる器具で、背負う時は取り外すか内側に折り曲げるようにする。
【００２１】  以上、本発明の実施の形態及び実施例を説明したが、本発明の範囲はこれに限定される物ではない。例えばパニアバックの１７の部分は取り外し可能にして自転車前部のハンドルバーに取り付けることも可能である。また背負った時、パニアバックのフレームと背中が当たる所に衝撃吸収パットを装着して、背中に当たる所の苦痛を和らげることも可能である。フレームの形状も図▲６▼に限定される物ではない。
【図面の簡単な説明】
【００２２】
【図１】  本発明を自転車に装着した斜め後ろからの外観図である。
【図２】  図１の自転車に装着した横からの外観図である。
【図３】  図１の自転車に装着した後ろからの外観図である。
【図４】  図１を背負える状態にして背負う側から見た外観図である。
【図５】  図４を人が背負って横から見た外観図である。
【図６】  図４のフレームと背かけベルトのみの図である。
【符号の説明】
【００２３】１１，１７      パニアバック
１２            フレーム安定器具
１３            フレーム振れ止め器具
１４            ジッパー
１５            車軸連結部
１６            肩かけベルト
１８            パニアバッグフレーム
【図１】
2010126148.tif 000003
【図２】
2010126148.tif 000004
【図３】
2010126148.tif 000005
【図４】
2010126148.tif 000006
【図５】
2010126148.tif 000007
【図６】
2010126148.tif 000008
【手続補正書】
【提出日】平成21年9月3日(2009.9.3)
【手続補正１】
【補正対象書類名】特許請求の範囲
【補正対象項目名】請求項２
【補正方法】変更
【補正の内容】
【請求項２】
請求項１に記載されたパニアバックは荷台が装着されていない自転車用だが、荷台が装着されている場合は、フレームレスの背負うことの出来るパニアバックも含む。
(57)【要約】【課題】  帯状疱疹等ヘルペスウィルスが原因で発症する疾病は治癒困難な病気で患者に肉体的、精神的、経済的、社会的にも多くの負担を強いるのが現状である。【解決手段】  ハンノキは成長がすこぶる早く、原料として安価で入手できるので、このハンノキを共生菌であるフランキア菌で発酵させた物を蒸留して抽出したエキスを含有することを特徴とする安全性の高い、また安価な抗ヘルペスウィルス剤、並びにヘルペスウィルス増殖阻害剤を提供する。【選択図】  なし【特許請求の範囲】
【請求項１】
ハンノキを共生菌であるフランキア菌で発酵させ蒸留して抽出した抗ヘルペスウィルス剤、並びにヘルペスウィルス増殖阻害剤。
【請求項２】
請求項１に記載の抗ヘルペスウィルス剤並びにヘルペスウィルス増殖阻害剤を含有することを特徴とする化粧料
【請求項３】
請求項１に記載の抗ヘルペスウィルス剤並びにヘルペスウィルス増殖阻害剤を含有することを特徴とする飲食物
【請求項４】
請求項１に記載の抗ヘルペスウィルス剤並びにヘルペスウィルス増殖阻害剤を含有することを特徴とする飼料
【請求項５】
Vero細胞の増殖を濃度依存的に促進させた請求項１に記載のハンノキエキス
【発明の詳細な説明】
【技術分野】
【０００１】
本発明はヘルペスウイルスに対し中和作用、プラーク抑制作用を有する抗ヘルペスウィルス剤並びにヘルペスウイルス増殖阻害剤並びに化粧料、飲食物、飼料に関する。
【背景技術】
【０００２】
ハンノキはカバノキ科に属し北半球亜熱帯を中心に広く分布している高木落葉樹で沖縄では北部に多く自生している。
ハンノキをフランキア菌で発酵させ蒸留して抽出したハンノキエキスには消臭や防腐、ダニ等の防除剤などの特許取得又は出願事例がある。しかし、抗ヘルペスウィルスについての報告事例は無く抗ヘルペスウィルスについての効果は新知見である。      
【０００３】
【特許文献１】特願平５−３１９１８４号公報
【特許文献２】特願２００２−４３６０２号公報
【発明の開示】
【発明が解決しようとする課題】
【０００４】
本発明はハンノキをフランキア菌で発酵させ抽出したエキスで抗ヘルペスウィルス剤並びにヘルペスウィルス増殖阻害剤を提供する事を目的とする。
【課題を解決するための手段】
【０００５】
本発明はハンノキエキスの色々な分野への利用可能性について研究する中で抗ヘルペスウィルス並びにヘルペスウィルス増殖阻害作用の効果について知見したのもで、これを用いる事で上記課題を解決する事ができる。すなわち本発明はカバノキ科ハンノキを共生菌であるフランキア菌で発酵させ、蒸留法で抽出したエキスを有効成分とする抗ヘルペスウィルス剤並びにヘルペスウィルス増殖阻害剤を提供する。
【発明の効果】
【０００６】
上記目的を達成するために本発明は、
（１）ハンノキを共生菌であるフランキア菌で発酵させ蒸留して抽出した抗ヘルペスウィルス剤並びにヘルペスウィルス増殖阻害剤、であり、
（２）  （１）に記載の抗ヘルペスウィルス剤並びにヘルペスウィルス増殖阻害剤を含有することを特徴とする化粧料、であり、
（３）  （１）に記載の抗ヘルペスウィルス剤並びにヘルペスウィルス増殖阻害剤を含有することを特徴とする飲食物、であり、
（４）  （１）に記載の抗ヘルペスウィルス剤並びにヘルペスウィルス増殖阻害剤を含有することを特徴とする飼料である。また、
（５）    Vero細胞の増殖を濃度依存的に促進させた（１）に記載のハンノキエキス
【発明を実施するための最良の形態】
【０００７】
本発明によれば、安全性の高い抗ヘルペスウィルス剤並びにヘルペスウィルス増殖阻害剤を提供できる。
【０００８】
本発明に用いるハンノキエキスは先行する特許を特許第３８０３１２０号及び特許第４１７１２２７号と同じ方法で抽出したエキスを用いる。
【０００９】
本発明の抗ヘルペスウィルス剤並びにヘルペスウィルス増殖阻害剤は鼻器よりの吸引及び経口投与が望ましいが、必ずしもこれだけに限定される物ではない。
【実施例】
【００１０】
ハンノキエキスの抽出
発酵乾燥したハンノキ１ｋｇを水蒸気蒸留し１Lを得、これを以下の実験に提供した。
【００１１】
ウィルス
HSV-1：HF株、７４０１H株
HSV-2：Savage株、３３３株
アシクロビル耐性：HF-TK−株  ＰＡＡr株
【００１２】
細胞株  Vero
【００１３】
マウス
C57BL/6  TNF  ｒeceptor  欠損マウス
【００１４】
方法
・細胞毒性試験
９６穴プレートにて、Vero細胞を１μＭの濃度から希釈したハンノキエキスと共に７２時間培養した。その後WST-8法にて細胞の生存率を測定し、毒性を調べた。結果を図２に示す
・感染中和試験
１０６PFU/ｍｌのウィルスとハンノキエキスを37℃、６０分間処理後、Vero細胞に接種し、プラーク法にて中和活性を測定した。結果を図３に示す
・プラーク形成抑制試験
ウィルス感染は５０PFU/Weｌｌで行った。以下に示す図1の方法でVero細胞にハンノキエキスを処理を行い感染72時間後のプラーク形成を調べた。結果を図４、図５に示す
・感染マウスに対する治療効果の実験
１０６PFU/10μｌのウィルス（７４０１H株）をマウスの側腹部に感染させ、ハンノキエキスをマウスに投与し、生死を観察した。結果を図５に示す
【００１５】
（結果）
・ハンノキエキスを維持培養液と１：１でVero細胞に作用させて72時間培養しても、毒性を示さなかった。
・Vero細胞生存率はハンノキエキスの濃度依存的に向上した。
・ハンノキエキスはHSV-1及びHSV-2に対しても中和効果が認められた。又、アシクロビル耐性株に対しても、中和効果は認められた。
・ハンノキエキスを希釈してプラーク抑制実験を行うと、濃度依存性にプラーク形成抑制効果が認められた。アシクロビル耐性株に対しても、同様の結果が得られた。
・ハンノキエキスを５種類の作用点に分けて処理を行うと、どの株においても増殖時における抑制効果が認められた。
・感染マウスに対する治療効果の実験では、ハンノキエキスを投与した群で、生存率が高くなる事が確認された。また、ウィルス接種の１週間前からハンノキエキスを投与すると、さらに効果がある事が認められた。
【産業上の利用可能性】
【００１６】
本発明は抗ヘルペスウイルス剤として利用が可能である。
【図面の簡単な説明】
【００１７】
【図１】プラーク形成抑制実験の手順
【図２】細胞毒性試験
【図３】感染中和試験
【図４】プラーク抑制実験
【図５】ハンノキエキスの作用時によるプラーク形成抑制試験
【図６】C５７BL/6TNF-RKOマウスに対するハンノキエキスの抗HSV効果
【図１】
2010126435.tif 000002
【図２】
2010126435.tif 000003
【図３】
2010126435.tif 000004
【図４】
2010126435.tif 000005
【図５】
2010126435.tif 000006
【図６】
2010126435.tif 000007
(57)【要約】【課題】部品点数を削減する。また、施工性に優れた防音カバー11施工方法とする。【解決手段】レールRに防音カバー11を施工するための施工方法は、施工現場に防音カバー11を搬入し、施工現場において、レールRの所定位置に防音カバー11を固定する際に、枕木SにレールRを締結している締結具Tおよび防音カバー11の干渉を回避するための切欠31を、現物合わせによって、防音カバー11に形成し、同締結具Tとの干渉を同切欠31によって回避させた状態で、レールRの同所定位置に防音カバー11を固定するものである。【選択図】図２
2010126883.tif 000002
【特許請求の範囲】
【請求項１】
レールに防音カバーを施工するための施工方法であって、施工現場に防音カバーを搬入し、施工現場において、レールの所定位置に防音カバーを固定するに際に、枕木にレールを締結している締結具および防音カバーの干渉を回避するための切欠を、現物合わせによって、防音カバーに形成する、レールの防音カバー施工方法。
【請求項２】
施工現場に搬入される防音カバーが、ロール状に巻かれている請求項１に記載のレールの防音カバー施工方法。
【発明の詳細な説明】
【技術分野】
【０００１】
この発明は、鉄道レールから発生する騒音を防止するための防音カバーをレールに施工するためのレールの防音カバー施工方法に関する。
【背景技術】
【０００２】
この種の施工方法としては、枕木のピッチに等しい長さを有しかつ枕木にレールを締結している締結具の逃げとするための切欠を両端にそれぞれあらかじめ形成した防音カバーを施工現場に搬入し、施工現場において、同締結具に切欠を合致させた状態で、レール表面の所要部分に防音カバーを被覆し、これを固定するようにしているものが知られている（例えば、特許文献１参照。）。
【０００３】
従来の上記施工方法において、枕木の１ピッチ毎に防音カバーを施工するようにしている。そのため、施工が面倒であった。さらに、複数の施工現場において、枕木のピッチが相違する場合、そのピッチに対応して長さを異にする複数種類の防音カバーを準備しなければならない。その準備作業も面倒で、これも、作業の施工性を悪くする要因であった。
【特許文献１】特開２００７−２２４７００号公報
【発明の開示】
【発明が解決しようとする課題】
【０００４】
この発明の目的は、施工性に優れたレールの防音カバー施工方法を提供することにある。
【課題を解決するための手段】
【０００５】
この発明によるレールの防音カバー施工方法は、レールに防音カバーを施工するための施工方法であって、施工現場に防音カバーを搬入し、施工現場において、現物合わせによって、レールの所定位置に防音カバーを固定するに際に、枕木にレールを締結している締結具との干渉を回避するための切欠を防音カバーに形成するものである。
【０００６】
この発明によるレールの防音カバー施工方法では、施工現場において、現物合わせによって、枕木にレールを締結している締結具の逃げとするための切欠を形成するようにしている。したがって、枕木のピッチの異動に左右されることなく、レールに防音カバーを施工することができる。さらには、切欠に捕らわれることなく、防音カバーを準備することができ、枕木ピッチ以上の長さをもつ防音カバーを使用し易くなるため、施工性を向上させることができる。
【０００７】
さらに、施工現場に搬入される防音カバーが、ロール状に巻かれていると、ロール状の防音カバーの取り扱いが容易となる。
【発明の効果】
【０００８】
この発明によれば、施工性に優れたレールの防音カバー施工方法が提供される。
【発明を実施するための最良の形態】
【０００９】
この発明の実施の形態を図面を参照しながらつぎに説明する。
【００１０】
図１を参照すると、枕木SにレールRが締結具Tによって固定されている。レールRには、レールRの左右両側面をそれぞれ被覆している左右一対の防音カバー11が固定具Fによって固定されている。
【００１１】
レールRは、上から下にかけて順次連なる、トップRt、ウェッブRwおよびベースRbよりなる。
【００１２】
各防音カバー11は、ウェッブRw側面の上縁およびベースRb上面外縁に渡されている鋼板製帯板状カバー本体21と、カバー本体21の内面に被覆されている吸音マット22とよりなる。吸音マット22は、積層構造の制振材22Aおよびウレタン吸音材22Bよりなる。
【００１３】
図２を参照すると、防音カバー11は、枕木SのピッチPよりも大きい長さを有している。防音カバー11の下縁部には、締結具Tとの干渉を回避するための切欠31が枕木SのピッチPと同じピッチで形成されている。
【００１４】
レールRに防音カバー11を施工するに際しては、まず、施工現場に防音カバー11を搬入する。このときに、防音カバー11はロール状に巻かれている（図示略）。これは、防音カバー11の取り扱いを容易にするためである。また、防音カバー11には切欠31は形成されていない。
【００１５】
施工現場において、ロール状防音カバー11を巻き戻しながら、巻き戻された防音カバー11をレールRの所定位置にあてがい、現物の締結具Tに合わせて、切欠31を形成していく。そして、締結具Tに切欠31を合致させて、切欠31によって締結具Tおよび防音カバー11の干渉を回避できる状態にしておいて、固定具Fによって、防音カバー11の適所をレールRに固定する。図２の例では、隣り合う２つの枕木S間の中央に１つの固定具Fが配置されているが、その位置は任意である。
【００１６】
施工現場に搬入される防音カバー11の長さは、長ければ長い程、１つの防音カバー11によってレールRを長く被覆することはできるが、長すぎると、取り扱いに難を来す。防音カバー11の長さは、少なくとも枕木SピッチPの２倍以上であることが好ましい。
【図面の簡単な説明】
【００１７】
【図１】この発明による防音カバー施工方法によって施工された後のレールおよび防音カバーを示す垂直横断面図である。
【図２】同斜視図である。
【符号の説明】
【００１８】
11  防音カバー
21  カバー本体
22  吸音マット
31  切欠
S  枕木
R  レール
T  締結具
F  固定具
【図１】
2010126883.tif 000003
【図２】
2010126883.tif 000004
(57)【要約】      （修正有）【課題】要支援、要介護の老人用に、自力で着用可能な簡単衣類を提供する。【解決手段】編み地は、表裏が同じ総ゴム編み等を基本に使用。等角ラグランセーターの製図法を基本に計算。衿繰り、背丈等前後の寸法差を付けないで背、肩、腕等の分量は特に、伸縮性を活用する事で、簡素化。閉じ代を使わず、１本の糸で丸く輪に編み、増減目のみにて、成型、作製。衿は、折り返しのハイネック或いは、段数３０％増しのタートルネックが最適。【選択図】図１
2010126869.tif 000002
【特許請求の範囲】
【請求項１】
等角ラグラン袖の製図を使い、且つ衿繰りと背丈の前後の差異を付けず１目或るいは２目等の総護摸編み等の編地で表と裏の別無く、縫い目継ぎ目の無い技法で編むオールマイティニット。
【請求項２】
請求項１の技法で棒針編み及びこれに類する編み方と、それを産業機械化して編むハイテクニック製のオールマイティニット。
【請求項３】
両面使用出来る模様編みの技法を用いて、且つ請求項１、２の方法で編むオールマイティニット。
【発明の詳細な説明】
【技術分野】発明の詳細な説明
元案は、平成１２年頃マフラーを棒針編み致しました。表裏とも表側にして使用出来る編み方を考案し、追求致しました。
【背景技術】リバーシブルニットの技術は、平成１９年１１月特願２００７−３４１７５７請求項１〜４にて、私が出願中です。
【発明の開示】
【発明が解決しようとする課題】オールマイティニットは、要支援、要介護前後の老人用に、自力で着用可能な簡単衣類が必需品ではないかと、私の面白作品と技法をあてはめて見ました。
【課題を解決するための手段】１、表裏同じに仕上げる。総護模編み。（１目ゴム編み、２目ゴム編み等）
１、等角ラグランセーターの製図法を基本に計算致しました。
１、衿繰り、背丈等、前後の寸法差を付けないで背、肩、腕等の分量に総護摸編みの伸縮性を活用することで更に簡素化致しました。
１、閉じ代を作らず、１本の糸で丸く編み、増減目のみにて成型、作製致しました
１、衿は、折り返しのハイネック或いは段数３０％増しのタートルネックが最適。
１、編み出しは、裾から衿に向け編む。衿から裾へ向いて編むも可能。
１、毛糸の太さに対し、緩い方の針を使用。例  ６〜８号の場合は８号。
１、衿繰りの下５ＣＭから衿付け線迄は、針を２小さく、ゲージ調節します。緩みがちなところは、急に締めつけないで徐々に。
【発明の効果】表、裏、前、後、構わず着られる面白い毛糸編み等の衣類です。
面倒見る人の手間が省けます。日常は世話要らずです。単に自ら着るだけで即暖かく自尊心の持続の為にも最適かと存じます。
【発明を実施する為の最良の形態】
【実施例】ハイネックセーター（プルオーバー）タートルネックセーター、ボートネックベスト（チョッキ）フレンチスリーブブラウス。  ボートネックワンピース、タートルネックワンピース等如何ですか。企画中です。
中細毛糸、合太、並太程度の各種純毛糸が最適です。絹混紡、綿麻、化学繊維も活用出来ます。
【産業上の利用可能性】手編みの目数計算と、技法のパターンが即、産業機械編みに利用可能ではないかと考慮致しました次第です。現在、１本の糸で裾から、袖、衿、まで丸く連続仕上げ出来ましたと、見聞致しました。
毛糸は元より、化学繊維１００％のウーリーナイロンオールマイティセータも、必需品ではないかと予想いたします。
【図面の簡単な説明】
【図１】オールマイティセーター。ゴム編みの身頃と襠及び袖付けラグラン線の減目身頃ラグラン線が裏目になる場合、袖ラグラン線は、表目になります。
【図２】身頃及び袖山から衿繰りへの減目。前衿下がりは、１／２〜１／３程度、後衿下がりも同寸に揃える。
【図３】身頃ラグラン線が表目になる場合袖ラグラン線は、裏目になります。
【符号の説明】
［図１］身頃ラグラン線２め目、減目は裏記号で表してあります。３め目を、２め目の上に寄せて裏編み目１目で減目します。
【図１】
2010126869.tif 000003
【図２】
2010126869.tif 000004
【図３】
2010126869.tif 000005
(57)【要約】【課題】  本発明は衣服における環境と共生を念頭においたダボス会議での国際環境協力のためのイノベーションである。自然界から採取する資源を出来るだけ少なくし、それを有効に使うことによって、廃棄されるものを最小限におさえる循環型社会の推進を図ることは、今や人類の責務である。  エネルギー資源を海外に依存する我が国ならではの、叡智と文化的背景を活用し、世界の平和協力国家としての平和を象徴する衣服として、地球を低炭素社会にする、先導役を果たすためのライフスタイルを提案する衣服である。【解決手段】  チュウブ状の形体に、独自のカッティングを施すことで作り上げる衣服。  身体の運動（ヨガなど）に対して滑らかな着用感を実現するものである。  同一アイテムがジャケットとズボンとに異なった着こなしが可能である。  素材のリデュース、リユース、リサイクルが可能な形態である。【選択図】図１
2010126868.tif 000002
【特許請求の範囲】
【請求項１】
チュウブ状の形体に、独自のカッティングを施すことで作り上げる衣服。
身体の運動（ヨガなど）に対して滑らかな着用感を実現するものである。
同一アイテムがジャケットとズボンとに異なった着こなしが可能である。
素材のリデュース、リユース、リサイクルが可能な形態である。
【発明の詳細な説明】
【技術分野】
【０００１】衣服のカッティングにおいて独自の新しい発想である。
人体をシンメトリックに捉えた、環境に調和するデザインである。
【発明の開示】
【発明が解決しようとする課題】
【０００２】本発明は衣服における環境と共生を念頭においたダボス会議での国際環境協力のためのイノベーションである。「循環型社会形成推進基本計画」リデュース、リユース、リサイクルを衣料に組み入れることにより環境への負荷を減らすため、自然界から採取する資源を出来るだけ少なくし、それを有効に使うことによって、廃棄されるものを最小限におさえる循環型社会の推進を図ることは、今や人類の責務である。エネルギー資源を海外に依存する我が国ならではの、叡智と文化的背景を活用し、世界の平和協力国家としての平和を象徴する衣服として、フェアトレードなどあらゆる面での貢献を図る衣服を目指します。地球を低炭素社会にする、先導役を果たすためのライフスタイルを提案する衣服である。
【課題を解決するための手段】
【０００３】チュウブ状の形体に、独自のカッティングを施すことで作り上げることで、身体の運動（ヨガなど）に対して滑らかな着用感を実現するものである。同一アイテムがジャケットとズボンとに異なった着こなしが可能である。
【発明の効果】
【０００４】素材のリデュース、リユース、リサイクルが可能な形態である。
【発明を実施するための最良の形態】
【０００５】人体をシンメトリックに捉え、人体比例に元づいたチュウブ状の本体（袖、股下）に対して、身頃を組み入れていく方法をとる。
【図面の簡単な説明】
【０００６】
【図１】  独自のカッティングの明記。ジャケットとして着用した時のスタイル。
【０００７】
【図２】  ズボンとして着用した時のスタイル。
【符号の説明】
2010126868.tif 000003
ＦＳ１前面    ＢＳ１  後面
ＦＳ２前面    ＢＳ２  後面
【図１】
2010126868.tif 000004
【図２】
2010126868.tif 000005
(57)【要約】      （修正有）【課題】ベルト状骨格と生地素材を用いて作成する服。【解決手段】人体や動物の外形主要部分にベルト状の骨格を縦横斜めに配し、交差部分を止める事により、立体骨格を構成し、その骨格間に生地素材を止める事により、構成することで、従来の服製作にない新しい構造となり、堅牢である。ベルト状骨格、生地素材に従来の生地以外のものが使用できる為、生地に変わるものを使用し、機能や性能を服に装着する事も出来き、構造上生地の取り外しも可能となる為、機能ある素材も取り付け可能な服となる。構造上、従来に無い形状変化を服に与えることが出来る。【選択図】図１
2010126827.tif 000002
【特許請求の範囲】
【請求項１】
ベルト状の帯やひもを交差部分で固定し立体骨格を形成し、立体骨格の骨格と成すベルト状の帯やひもで囲まれた部分に生地を取り付けた服。
【請求項２】
人体や動物の外形上基本となる部分を囲むベルト状の帯で立体骨格を形成し、その骨格上に取り付けた生地素材で服となす。
【請求項３】
立体骨格を形成し、この骨格に取り付ける生地は、取り付け可能な物、装着可能な物を指し、およそ取り付け可能であれば、生地として成立する。
【発明の詳細な説明】
【技術分野】
【０００１】
本発明は、ベルト状態の立体骨格を持つ衣服で、生地素材を、その立体骨格に取り付けた服。
【背景技術】
【０００２】
服は、一般に生地素材を体型採寸し、これを生地に分割し縫製して作成され、
基本的に服としての形をなす。
【発明の開示】
【発明が解決しようとする課題】
【０００３】
以上のような従来の服には、次のような解決すべき課題があった。
１、生地を縫製する作り方の為、特殊なデザインが作りにくい。
２、体の体型に支配され、柔らかい材質だけで構成される為、外形的変化を作りにくい
３、生地の質に支配される為、堅牢性に欠ける。
４、縫製が可能な生地を主体として製作しなければならない。
【課題を解決するための手段】
【０００４】
本発明は以上の点を解決するために、次のような構成を採用する。
構成１
ベルト状の素材で構成された立体骨格とその骨格空間を連結する生地で構成される服。
【０００５】
構成２
骨格は、肩や腰など体の外形を基本として縦横斜めの立体構造となる。
【０００６】
構成３
ちぎれない強度のあるひも状、ベルト状のある素材で、体を最低限の網上に骨格構成する
【発明の効果】
【０００７】
本発明の服には次のような効果がある。
具体例と効果
１、立体骨格の間に生地素材が取り付けられるので、服としての機能をはたす。
２、構成される立体骨格は、体の主要場所の寸法で、決定されるので、容易に立体骨格が完成する。
３、構成された骨格は骨格の縦横斜めなどの骨格で囲まれた隙間が出来る。
この隙間に生地素材を取り付けることで服となす。
４、およそ骨格に取り付け可能な物は、生地素材となるので、生地素材は、従来の素材
以外のものも使用できる為、生地以外のものを使用し、機能や性能を服に装着する
事も出来るし構造上生地の取り外しも可能となる。
【発明を実施するための最良の形態】
【０００８】
以下、本発明を図の具体例を用いて詳細に説明する。
【実施例】
【０００９】
図１に、本発明の服の具体例斜視図を示す。
図の服は、立体骨格全体５を示し、骨格１と骨格２と生地素材3とから構成される。
骨格１と骨格２の交差点は、止め具４で止める。止め具４は、交差点を止める物であって、材質は自由であり、また骨格１と骨格２に生地素材3を止める場合も材質は自由であり、構造上生地素材3の取り外しも可能となる。
【図面の簡単な説明】
【００１０】
【図１】この発明の服の具体例斜視図を示す。
【符号の説明】
【００１１】
１  骨格１
２  骨格２
３  生地素材３
４  止め具または固定部分４
５  立体骨格全体５
【図１】
2010126827.tif 000003